(57)【特許請求の範囲】
【請求項１】
圧縮機の吐出ラインにオイルセパレータを設け、オイルセパレータから圧縮機へのオイル戻しラインで圧縮機上流のキャピラリよりも上流に開閉弁を設けた空調機において、
前記キャピラリと前記開閉弁の間に圧力センサを設け、
前記開閉弁が開状態のときに前記圧力センサの検出圧と圧縮機吸入圧との差圧の絶対値が第１所定値以下であるか、または前記検出圧と圧縮機吐出圧との差圧の絶対値が第２所定値以上であることを所定時間継続して検知した場合にオイル戻しラインの圧力が圧縮機吸入圧力に近い現象が発生しているとして前記開閉弁が異常と判定することを特徴とする空調機。
【請求項２】
複数台の圧縮機を設け、各圧縮機の吐出ラインの合流ラインにオイルセパレータを設け、オイルセパレータから各圧縮機へのオイル戻しラインで圧縮機上流のキャピラリよりも上流にそれぞれ開閉弁を設けた空調機において、
前記キャピラリと前記開閉弁の間にそれぞれ圧力センサを設け、
運転圧縮機と停止圧縮機が混在する場合で停止圧縮機へのオイル戻しラインの開閉弁が閉状態のときに前記圧力センサの検出圧と圧縮機吸入圧との差圧の絶対値が第１所定値以上であるか、または前記検出圧と圧縮機吐出圧との差圧の絶対値が第２所定値以下であることを所定時間継続して検知した場合にオイル戻しラインの圧力が圧縮機吸入圧力に近い現象が発生しているとして前記開閉弁が異常と判定することを特徴とする空調機。
【発明の詳細な説明】
【技術分野】
【０００１】
本発明は、オイルセパレータを有する空調機に関するものである。
【背景技術】
【０００２】
一般に、空調機は、圧縮機の吐出ラインにオイルセパレータを設け、このオイルセパレータによって吐出冷媒から分離したオイルを圧縮機へと戻すようになされている。
【０００３】
従来より、このような圧縮機の吐出ラインにオイルセパレータを有する空調機において、オイルセパレータから圧縮機へのオイル戻しラインで圧縮機上流のキャピラリよりもさらに上流側に開閉弁を設けたものが提案されている（例えば、特許文献１参照）。
【先行技術文献】
【特許文献】
【０００４】
【特許文献１】特開平１０−１９４０８号公報
【発明の概要】
【発明が解決しようとする課題】
【０００５】
しかし、上記従来の空調機は、上記開閉弁のゴミ噛み等による不具合を検知する構成については開示されていない。
【０００６】
本発明は係る実情に鑑みてなされたものであって、上記不具合を検知することができる構成を開示することを目的としている。
【課題を解決するための手段】
【０００７】
上記課題を解決するための本発明の空調機は、圧縮機の吐出ラインにオイルセパレータを設け、オイルセパレータから圧縮機へのオイル戻しラインで圧縮機上流のキャピラリよりも上流に開閉弁を設けた空調機において、前記キャピラリと前記開閉弁の間に圧力センサを設け、前記開閉弁が開状態のときに前記圧力センサの検出圧と圧縮機吸入圧との差圧の絶対値が第１所定値以下であるか、または前記検出圧と圧縮機吐出圧との差圧の絶対値が第２所定値以上であることを所定時間継続して検知した場合にオイル戻しラインの圧力が圧縮機吸入圧力に近い現象が発生しているとして前記開閉弁が異常と判定するものである。
【０００８】
また、上記課題を解決するための本発明の空調機は、複数台の圧縮機を設け、各圧縮機の吐出ラインの合流ラインにオイルセパレータを設け、オイルセパレータから各圧縮機へのオイル戻しラインで圧縮機上流のキャピラリよりも上流にそれぞれ開閉弁を設けた空調機において、前記キャピラリと前記開閉弁の間にそれぞれ圧力センサを設け、運転圧縮機と停止圧縮機が混在する場合で停止圧縮機へのオイル戻しラインの開閉弁が閉状態のときに前記圧力センサの検出圧と圧縮機吸入圧との差圧の絶対値が第１所定値以上であるか、または前記検出圧と圧縮機吐出圧との差圧の絶対値が第２所定値以下であることを所定時間継続して検知した場合にオイル戻しラインの圧力が圧縮機吸入圧力に近い現象が発生しているとして前記開閉弁が異常と判定するものである。
【発明の効果】
【０００９】
以上述べたように、請求項１記載の本発明によると、オイル戻しラインの開閉弁が正常に開いていればオイル戻しラインの圧力が圧縮機吐出圧に近くなり、ゴミ噛み等で正常な開度でなければオイル戻しラインの圧力が圧縮機吸入圧に近くなる現象を利用することにより、開閉弁の開度が正常か否かを精度良く判定することが可能となる。従って、圧縮機のオイル切れの予測が可能となる。
【００１０】
また、請求項２記載の本発明によると、複数台の圧縮機を設けた空調機で運転圧縮機と停止圧縮機が混在する場合で停止圧縮機へのオイル戻しラインの開閉弁が正常に閉じていればオイル戻しラインの圧力が圧縮機吸入圧に近くなり、ゴミ噛み等で開閉弁が開いていればオイル戻しラインの圧力が圧縮機吐出圧に近くなる現象を利用することにより、開閉弁の開度が正常か否かを精度良く判定することが可能となる。従って、停止圧縮機にオイルが溜まりこむことによる運転圧縮機のオイル切れの予測が可能となる。
【図面の簡単な説明】
【００１１】
【図１】本発明に係る空調機の要部の構成を示す冷媒回路図である。
【発明を実施するための形態】
【００１２】
以下、本発明の実施の形態を図面を参照して説明する。
【００１３】
図１は空調機の要部の構成を示している。
【００１４】
この空調機は、圧縮機１ａ、１ｂの吐出ライン１１にオイルセパレータ２を設け、オイルセパレータ２から圧縮機１ａ、１ｂへのオイル戻しライン３で圧縮機１ａ、１ｂの上流のキャピラリ４ａ、４ｂよりも上流に開閉弁５ａ、５ｂを設けた空調機において、前記キャピラリ４ａ、４ｂと前記開閉弁５ａ、５ｂの間に圧力センサＰＨａ、ＰＨｂを設けて構成されており、前記開閉弁５ａ、５ｂの異常を判定するようになされている。
【００１５】
空調機は、圧縮機１ａ、１ｂで圧縮した冷媒を吐出ライン１１を介して導入したオイルセパレータ２で冷媒とオイルに分離する。このうち、冷媒は、暖房運転の場合、四方弁１２を介して室内熱交換器（図示省略）で放熱して凝縮液化した後、各種冷媒経路を経て最後は、電子膨張弁（図示省略）を経て室外熱交換器１３、１３で蒸発気化した後、四方弁１２からアキュームレータ１４を経て再度圧縮機１ａ、１ｂへと吸引される。また、冷房運転の場合、冷媒は、四方弁１２を介して室外熱交換器１３、１３で放熱して凝縮液化した後、各種冷媒経路を経て最後は、電子膨張弁（図示省略）を経て室内熱交換器（図示省略）で蒸発気化した後、四方弁１２からアキュームレータ１４を経て再度圧縮機１ａ、１ｂへと吸引される。
【００１６】
圧縮機１ａ、１ｂは、冷媒の吐出ライン１１と吸引ライン１５との間に並列に接続されている。一方の圧縮機１ｂは、吐出直後の位置に逆止弁１０が設けられており、一方の圧縮機１ａのみの運転を行った場合に、休止している他方の圧縮機１ｂへと冷媒が逆流しないようになされている。
【００１７】
オイルセパレータ２は、圧縮機１ａ、１ｂで圧縮した冷媒がフィルタ２１を介して流入するように構成されている。圧縮された冷媒はガス化されているが、オイルは液状のままなので、このオイルセパレータ２では、冷媒と、オイルとを分離した後、冷媒のみを四方弁１２側へと吐出するように構成されている。この高圧冷媒は、逆止弁２２によって、四方弁１２側からは逆流しないように構成されている。また、液状のオイルはオイルセパレータ２の底に溜まるので、このオイルセパレータ２からオイル戻しライン３を介して圧縮機１ａ、１ｂへと戻される。
【００１８】
オイル戻しライン３は、オイルセパレータ２底部から導出され、それぞれの圧縮機１ａ、１ｂに対応した二つのオイル戻しライン３ａ、３ｂに分岐して、これら圧縮機１ａ、１ｂへと接続されている。この二つのオイル戻しライン３ａ、３ｂにおいて、圧縮機１ａ、１ｂの上流側にはキャピラリ４ａ、４ｂが設けられている。また、キャピラリ４ａ、４ｂの上流側には開閉弁５ａ、５ｂが設けられている。これらキャピラリ４ａ、４ｂと開閉弁５ａ、５ｂとの間には、圧力センサＰＨａ、ＰＨｂを設けている。
【００１９】
この圧力センサＰＨａ、ＰＨｂは、開閉弁５ａ、５ｂの異常を検知することができるようになされている。
【００２０】
次に、圧力センサＰＨａ、ＰＨｂによる開閉弁５ａ、５ｂの異常の検知について説明する。
【００２１】
まず、圧縮機１ａ、１ｂが運転され、開閉弁５ａ、５ｂが共に「開」状態の場合、圧力センサＰＨａ、ＰＨｂの検出圧力は、圧縮機１ａ、１ｂの吸入圧および吐出圧と対比される。この際、吸入圧は、冷媒の戻り経路に設けられた圧力センサＰＬから得られた圧力から測定される。吐出圧は、吐出ライン１１に設けられた圧力センサＰＨから測定される。
【００２２】
まず、圧力センサＰＨａ、ＰＨｂの検出圧力は、開閉弁５ａ、５ｂが正常に開いていれば、圧縮機１ａ、１ｂからの吐出圧に近くなり、開閉弁５ａ、５ｂがゴミ噛み等によって正常に開いていない場合は、吸入圧に近くなる。
【００２３】
したがって、前記検出圧力と吸入圧との差の絶対値が第一所定値以下であることを所定時間継続して検知した場合、開閉弁５ａ、５ｂがゴミ噛み等によって正常に開いておらず、異常であると判定することができる。
【００２４】
また、前記検出圧力と吐出圧との差の絶対値が第二所定値以上であることを所定時間継続して検知した場合、開閉弁５ａ、５ｂがゴミ噛み等によって正常に開いておらず、異常であると判定することができる。
【００２５】
上記した判定は、検出圧力と吸入圧との対比、または検出圧力と吐出圧との対比、何れか一方を行うことによって判定するものであってもよいし、両方を行って判定するものであってもよい。
【００２６】
この判定により、空調機は、開閉弁５ａ、５ｂの開度が正常であるか否かを精度良く判定することが可能となる。したがって、開閉弁５ａ、５ｂの異常によりオイルが圧縮機１ａ、１ｂへと戻らず、圧縮機１ａ、１ｂでオイル切れを起こしているか否かの予測ができることとなる。
【００２７】
次に、圧縮機１ａが運転され、圧縮機１ｂが停止され、開閉弁５ａが「開」、開閉弁５ｂが「閉」状態の場合、圧力センサＰＨａ、ＰＨｂの検出圧力は、圧縮機１ａ、１ｂの吸入圧および吐出圧と対比される。
【００２８】
運転している圧縮機１ａ側の圧力センサＰＨａの検出圧力は、上記したように開閉弁５ａが正常に開いていれば、圧縮機１ａからの吐出圧に近くなり、開閉弁５ａがゴミ噛み等によって正常に開いていない場合は、吸入圧に近くなるので、上記と同様に開閉弁５ａの異常が判定される。
【００２９】
停止している圧縮機１ｂ側の圧力センサＰＨｂの検出圧力は、開閉弁５ｂが正常に閉じていれば、吸入圧に近くなり、開閉弁５ｂがゴミ噛み等によって正常に閉じていなければ、吐出圧に近くなる。
【００３０】
したがって、前記検出圧力と吸入圧との差の絶対値が第一所定値以上であることを所定時間継続して検知した場合、開閉弁５ｂがゴミ噛み等によって正常に閉じておらず、異常であると判定することができる。
【００３１】
また、前記検出圧力と吐出圧との差の絶対値が第二所定値以下であることを所定時間継続して検知した場合、開閉弁５ａ、５ｂがゴミ噛み等によって正常に閉じておらず、異常であると判定することができる。
【００３２】
上記した判定は、検出圧力と吸入圧との対比、または検出圧力と吐出圧との対比、何れか一方を行うことによって判定するものであってもよいし、両方を行って判定するものであってもよい。
【００３３】
この判定により、空調機は、開閉弁５ａ、５ｂの開度、特に、停止側開閉弁５ｂの閉じ具合が正常であるか否かを精度良く判定することが可能となる。したがって、停止した圧縮機１ｂにオイルが溜まりこむことによる運転側の圧縮機１ａのオイル切れの予測ができることとなる。
【００３４】
なお、本実施の形態において、開閉弁５ａ、５ｂの異常を判定するための第一所定値および第二所定値は、小さな値に設定した場合、少しの変化でも異常と判定してしまうこととなり、大きな値に設定した場合、多少の変化でも異常と判定しなくなる。したがって、第一所定値および第二所定値は、その設定値をそれぞれの比較対象の吸入圧、吐出圧を測定する圧力センサＰＬ、ＰＨの感度に応じて適宜設定している。
【００３５】
また、本実施の形態において、空調機は、２台の圧縮機１ａ、１ｂを備えており、オイル戻しライン３についても、二つのオイル戻しライン３ａ、３ｂに分岐しており、それぞれに、キャピラリ４ａ、４ｂと、開閉弁５ａ、５ｂと、圧力センサＰＨａ、ＰＨｂとが設けられているが、一台の圧縮機１ａで１つのオイル戻しライン３ａにキャピラリ４ａと、開閉弁５ａと、圧力センサＰＨａとが設けられた一系統の冷媒経路を有する空調機であっても、開閉弁５ａの異常を判定することができる。
【産業上の利用可能性】
【００３６】
本発明に係る空調機は、オイルセパレータを有する各種空調機に用いられる。
【符号の説明】
【００３７】
１ａ、１ｂ  圧縮機
１１  吐出ライン
２  オイルセパレータ
３、３ａ、３ｂ  オイル戻しライン
４ａ、４ｂ  キャピラリ
５ａ、５ｂ  開閉弁
ＰＨａ、ＰＨｂ  圧力センサ
【図１】
0005631684.tif 000002